【手続補正書】
【提出日】平成25年3月6日(2013.3.6)
【手続補正１】
【補正対象書類名】特許請求の範囲
【補正対象項目名】全文
【補正方法】変更
【補正の内容】
【特許請求の範囲】
【請求項１】
記録媒体の搬送方向と直交する方向に列設された複数のノズルを備えた記録ヘッドを有し、当該記録媒体を搬送しながら、前記記録ヘッドからインクを吐出することにより、前記搬送方向と直交する方向に複数の画像を同時に記録可能なインクジェット記録装置であって、
入力された複数の画像を、記録媒体の記録領域を前記搬送方向と直交する方向に関して区分けしてなる複数の記録領域のうちのいずれの記録領域で記録を行うか割り付け、さらに、前記複数の記録領域ごとに、割り付けられた前記複数の画像を所定時間以内に記録可能な画像群にグループ化する画像群生成部と、
記録媒体に対して、前記記録ヘッドの記録に用いられる全ノズルからインクを吐出させて第１の予備吐出パターンを記録する第１の予備吐出動作と、前記複数の記録領域にそれぞれ１つの前記画像群を記録する記録動作と、前記記録ヘッドの記録に用いられる全ノズルからインクを吐出させて第２の予備吐出パターンを記録する第２予備吐出動作と、をこの順に行うように制御する制御手段と、
を有することを特徴とするインクジェット記録装置。
【請求項２】
前記第１の予備吐出動作と前記第２の予備吐出動作との時間間隔は、前記所定時間以内であることを特徴とする請求項１に記載のインクジェット記録装置。
【請求項３】
前記制御手段は、第１の予備吐出パターンと前記第２の予備吐出パターンとの間に記録される複数の前記画像群のうち、最も記録幅が長くなる画像群に基づいて前記第２の予備吐出動作を行うタイミングを制御することを特徴とする請求項１または２に記載のインクジェット記録装置。
【請求項４】
請求項１乃至３のいずれか１項に記載のインクジェット記録装置において、
記録媒体は、ロール紙であるインクジェット記録装置。
【請求項５】
記録媒体の搬送方向と直交する方向に列設された複数のノズルを備えた記録ヘッドを有し、当該記録媒体を搬送しながら、前記記録ヘッドからインクを吐出することにより、前記搬送方向と直交する方向に複数の画像を同時に記録可能なインクジェット記録装置の制御方法であって、
入力された複数の画像を、記録媒体の記録領域を前記搬送方向と直交する方向に関して区分けしてなる複数の記録領域のうちのいずれの記録領域で記録を行うか割り付け、さらに、前記複数の記録領域ごとに、割り付けられた前記複数の画像を所定時間以内に記録可能な画像群にグループ化する工程と、
記録媒体に対して、前記記録ヘッドの記録に用いられる全ノズルからインクを吐出させて第１の予備吐出パターンを記録する第１の予備吐出動作と、前記複数の記録領域にそれぞれ１つの前記画像群を記録する記録動作と、前記記録ヘッドの記録に用いられる全ノズルからインクを吐出させて第２の予備吐出パターンを記録する第２予備吐出動作と、をこの順に行うように制御する工程と、
を有することを特徴とするインクジェット記録装置の制御方法。
【請求項６】
記録媒体の搬送方向と直交する方向に列設された複数のノズルを備えた記録ヘッドを有し、当該記録媒体を搬送しながら、前記記録ヘッドからインクを吐出することにより、前記搬送方向と直交する方向に複数の画像を同時に記録可能なインクジェット記録装置に、
入力された複数の画像を、記録媒体の記録領域を前記搬送方向と直交する方向に関して区分けしてなる複数の記録領域のうちのいずれの記録領域で記録を行うか割り付け、さらに、前記複数の記録領域ごとに、割り付けられた前記複数の画像を所定時間以内に記録可能な画像群にグループ化する機能と、
記録媒体に対して、前記記録ヘッドの記録に用いられる全ノズルからインクを吐出させて第１の予備吐出パターンを記録する第１の予備吐出動作と、前記複数の記録領域にそれぞれ１つの前記画像群を記録する記録動作と、前記記録ヘッドの記録に用いられる全ノズルからインクを吐出させて第２の予備吐出パターンを記録する第２予備吐出動作と、をこの順に行うように制御する機能と、を実現させるプログラム。
【手続補正２】
【補正対象書類名】明細書
【補正対象項目名】００２５
【補正方法】変更
【補正の内容】
【００２５】
上記目的を達成するために本発明のインクジェット記録装置は、記録媒体の搬送方向と直交する方向に列設された複数のノズルを備えた記録ヘッドを有し、当該記録媒体を搬送しながら、前記記録ヘッドからインクを吐出することにより、前記搬送方向と直交する方向に複数の画像を同時に記録可能なインクジェット記録装置であって、
入力された複数の画像を、記録媒体の記録領域を前記搬送方向と直交する方向に関して区分けしてなる複数の記録領域のうちのいずれの記録領域で記録を行うか割り付け、さらに、前記複数の記録領域ごとに、割り付けられた前記複数の画像を所定時間以内に記録可能な画像群にグループ化する画像群生成部と、
記録媒体に対して、前記記録ヘッドの記録に用いられる全ノズルからインクを吐出させて第１の予備吐出パターンを記録する第１の予備吐出動作と、前記複数の記録領域にそれぞれ１つの前記画像群を記録する記録動作と、前記記録ヘッドの記録に用いられる全ノズルからインクを吐出させて第２の予備吐出パターンを記録する第２予備吐出動作と、をこの順に行うように制御する制御手段と、
を有することを特徴とする。
【手続補正３】
【補正対象書類名】明細書
【補正対象項目名】００２６
【補正方法】変更
【補正の内容】
【００２６】
また、上記目的を達成するために本発明のインクジェット記録装置の制御方法は、記録媒体の搬送方向と直交する方向に列設された複数のノズルを備えた記録ヘッドを有し、当該記録媒体を搬送しながら、前記記録ヘッドからインクを吐出することにより、前記搬送方向と直交する方向に複数の画像を同時に記録可能なインクジェット記録装置の制御方法であって、
入力された複数の画像を、記録媒体の記録領域を前記搬送方向と直交する方向に関して区分けしてなる複数の記録領域のうちのいずれの記録領域で記録を行うか割り付け、さらに、前記複数の記録領域ごとに、割り付けられた前記複数の画像を所定時間以内に記録可能な画像群にグループ化する工程と、
記録媒体に対して、前記記録ヘッドの記録に用いられる全ノズルからインクを吐出させて第１の予備吐出パターンを記録する第１の予備吐出動作と、前記複数の記録領域にそれぞれ１つの前記画像群を記録する記録動作と、前記記録ヘッドの記録に用いられる全ノズルからインクを吐出させて第２の予備吐出パターンを記録する第２予備吐出動作と、をこの順に行うように制御する工程と、
を有することを特徴とする。
【手続補正４】
【補正対象書類名】明細書
【補正対象項目名】００２７
【補正方法】変更
【補正の内容】
【００２７】
また、上記目的を達成するために本発明のプログラムは、記録媒体の搬送方向と直交する方向に列設された複数のノズルを備えた記録ヘッドを有し、当該記録媒体を搬送しながら、前記記録ヘッドからインクを吐出することにより、前記搬送方向と直交する方向に複数の画像を同時に記録可能なインクジェット記録装置に、
入力された複数の画像を、記録媒体の記録領域を前記搬送方向と直交する方向に関して区分けしてなる複数の記録領域のうちのいずれの記録領域で記録を行うか割り付け、さらに、前記複数の記録領域ごとに、割り付けられた前記複数の画像を所定時間以内に記録可能な画像群にグループ化する機能と、
記録媒体に対して、前記記録ヘッドの記録に用いられる全ノズルからインクを吐出させて第１の予備吐出パターンを記録する第１の予備吐出動作と、前記複数の記録領域にそれぞれ１つの前記画像群を記録する記録動作と、前記記録ヘッドの記録に用いられる全ノズルからインクを吐出させて第２の予備吐出パターンを記録する第２予備吐出動作と、をこの順に行うように制御する機能と、を実現させるものである。